(57)【要約】【課題】市場における所定の貨幣の流通を促進させたり、所定の貨幣を回収して別の貨幣に置き換えたりすることを促進させたりすること。【解決手段】貨幣処理装置は貨幣を処理する。貨幣処装置は、貨幣が受け入れられる受入口１２０，２２０と、前記受入口１２０，２２０で受け入れられた前記貨幣の種類を識別する識別部１３０，２３０と、を有する貨幣処理装置１００，２００と、識別部１３０，２３０で識別された貨幣の種類に基づいて、貨幣の処理に関する手数料を決定する手数料決定部１０と、を備えている。【選択図】図１
2014146106.tif 000002
【特許請求の範囲】
【請求項１】
貨幣を処理する貨幣処理装置において、
貨幣が受け入れられる受入口と、
前記受入口で受け入れられた前記貨幣の種類を識別する識別部と、
前記識別部で識別された貨幣の種類に基づいて、貨幣の処理に関する手数料を決定する手数料決定部と、
を備えたことを特徴とする貨幣処理装置。
【請求項２】
前記受入口で受け入れられた貨幣が硬貨又は所定額面以下の紙幣の場合に、前記受入口で受け入れられた貨幣が前記所定額面を超える紙幣の場合と比較して、前記手数料が低額になっていることを特徴とする請求項１に記載の貨幣処理装置。
【請求項３】
前記貨幣処理装置は前記受入口で受け入れられた貨幣を両替する貨幣両替機であり、
前記貨幣処理装置は、前記受入口で受け入れられた貨幣を両替した貨幣を放出するための放出口をさらに有し、
前記手数料決定部は、前記受入口で受け入れられた貨幣の種類及び前記放出口に放出される貨幣の種類に基づいて、両替手数料を決定することを特徴とする請求項１又は２のいずれかに記載の貨幣処理装置。
【請求項４】
前記放出口に放出される貨幣が硬貨である場合に、前記放出口に放出される貨幣が紙幣である場合と比較して、前記両替手数料が低額になっていることを特徴とする請求項３に記載の貨幣処理装置。
【請求項５】
前記放出口に放出される貨幣が所定額面を超える紙幣である場合に、前記放出口に放出される貨幣が前記所定額面以下の紙幣である場合と比較して、前記両替手数料が低額になっていることを特徴とする請求項３又は４のいずれかに記載の貨幣処理装置。
【請求項６】
前記受入口で受け入れられた貨幣が硬貨又は所定額面以下の紙幣であり前記放出口に放出される貨幣がバラ硬貨である場合に、前記受入口で受け入れられた貨幣が所定額面を超える紙幣である場合及び前記放出口に放出される貨幣が紙幣である場合と比較して、前記両替手数料が低額になっていることを特徴とする請求項３乃至５のいずれか１項に記載の貨幣処理装置。
【請求項７】
前記受入口で受け入れられた貨幣が硬貨又は所定額面以下の紙幣であり前記放出口に放出される貨幣が所定額面を超える紙幣である場合に、前記放出口に放出される貨幣が所定額面以下の紙幣である場合又は前記受入口で受け入れられた貨幣が前記所定額面を超える紙幣であり前記放出口に放出される貨幣も前記所定額面を超える紙幣である場合と比較して、前記両替手数料が低額になっていることを特徴とする請求項３乃至６のいずれか１項に記載の貨幣処理装置。
【請求項８】
前記受入口で受け入れられた貨幣が所定額面を超える紙幣であり前記放出口に放出される貨幣がバラ硬貨である場合に、前記放出口に放出される貨幣が所定額面以下の紙幣である場合又は前記受入口で受け入れられた貨幣が前記所定額面を超える紙幣であり前記放出口に放出される貨幣も前記所定額面を超える紙幣である場合と比較して、前記両替手数料が低額になっていることを特徴とする請求項３乃至７のいずれか１項に記載の貨幣処理装置。
【請求項９】
前記受入口で受け入れられた貨幣が所定額面を超える紙幣であり前記放出口に放出される貨幣が前記所定額面以下の紙幣である場合に、前記放出口に放出される貨幣が所定額面を超える紙幣である場合、前記放出口に放出される貨幣がバラ硬貨である場合、前記受入口で受け入れられた貨幣が前記所定額面以下の紙幣又はバラ硬貨であり前記放出口に放出される貨幣が前記所定額面以下の紙幣である場合と比較して、前記両替手数料が高額になっていることを特徴とする請求項３乃至８のいずれか１項に記載の貨幣処理装置。
【請求項１０】
前記放出口に放出される貨幣が包装硬貨である場合に、前記放出口に放出される貨幣がバラ硬貨である場合と比較して、前記両替手数料が高額になっていることを特徴とする請求項３乃至９のいずれか１項に記載の貨幣処理装置。
【請求項１１】
前記手数料決定部は、前記放出口に放出される貨幣が前記包装硬貨である場合に、前記包装硬貨の本数に基づいて、前記両替手数料を決定することを特徴とする請求項１０に記載の貨幣処理装置。
【請求項１２】
前記貨幣処理装置は前記受入口で受け入れられた貨幣を所定の口座に入金して入金手数料を徴収する入金機であることを特徴とする請求項１又は２のいずれかに記載の貨幣処理装置。
【請求項１３】
前記貨幣処理装置は前記受入口で受け入れられた貨幣を所定の価値に換算して価値媒体を発行し、発行手数料を徴収する価値媒体発行装置であることを特徴とする請求項１又は２のいずれかに記載の貨幣処理装置。
【請求項１４】
貨幣を処理する貨幣処理システムにおいて、
貨幣が受け入れられる受入口と、前記受入口で受け入れられた前記貨幣の種類を識別する識別部と、を有する貨幣処理装置と、
前記識別部で識別された貨幣の種類に基づいて、貨幣の処理に関する手数料を決定する手数料決定部と、
を備えたことを特徴とする貨幣処理システム。
【請求項１５】
前記受入口で受け入れられた貨幣が硬貨又は所定額面以下の紙幣の場合に、前記受入口で受け入れられた貨幣が前記所定額面を超える紙幣の場合と比較して、前記手数料が低額になっていることを特徴とする請求項１４に記載の貨幣処理システム。
【請求項１６】
前記貨幣処理装置は前記受入口で受け入れられた貨幣を両替する貨幣両替機であり、
前記貨幣処理装置は、前記受入口で受け入れられた貨幣を両替した貨幣を放出するための放出口をさらに有し、
前記手数料決定部は、前記受入口で受け入れられた貨幣の種類及び前記放出口に放出される貨幣の種類に基づいて、両替手数料を決定することを特徴とする請求項１４又は１５のいずれかに記載の貨幣処理システム。
【請求項１７】
前記放出口に放出される貨幣が包装硬貨である場合に、前記放出口に放出される貨幣がバラ硬貨である場合と比較して、前記両替手数料が高額になっていることを特徴とする請求項１６に記載の貨幣処理システム。
【請求項１８】
前記貨幣処理装置は前記受入口で受け入れられた貨幣を所定の口座に入金して入金手数料を徴収する入金機であることを特徴とする請求項１４又は１５のいずれかに記載の貨幣処理システム。
【請求項１９】
前記貨幣処理装置は前記受入口で受け入れられた貨幣を所定の価値に換算して価値媒体を発行し、発行手数料を徴収する価値媒体発行装置であることを特徴とする請求項１４又は１５のいずれかに記載の貨幣処理システム。
【発明の詳細な説明】
【技術分野】
【０００１】
本発明は、貨幣の処理を行う際に手数料を徴収する貨幣処理装置及び貨幣処理システムに関する。
【背景技術】
【０００２】
従来から、両替される貨幣を受け入れ、指定された金種の貨幣を放出する両替処理及びその両替処理に要する手数料を徴収する手数料徴収処理を行う貨幣両替機が知られている。このような貨幣両替機として、カードＩＤに対応して前払い手数料が記憶された記憶部と、カードを受け入れてカードＩＤを読み取るカード読取手段と、カード読取手段で読み取ったカードＩＤに対応して記憶された前払い手数料を記憶部から読み出す前払い手数料読出手段と、を備えた貨幣両替機が知られている（特許文献１参照）。
【０００３】
そして、特許文献１に記載された貨幣両替機では、両替の手数料を一律とせず、両替されて放出される貨幣の形態（紙幣，新札，バラ硬貨，包装硬貨等）等に応じて手数料の有無や重みを任意に設定できるようになっている。このため、例えば、両替用貨幣の準備に要する手間やコストがかかる包装硬貨や新札を有料で両替可能と設定することができる。
【先行技術文献】
【特許文献】
【０００４】
【特許文献１】特開２００２−１６３６９８号公報
【発明の概要】
【発明が解決しようとする課題】
【０００５】
従来から、商品を購入した際に釣銭として支払われた硬貨が再使用されることなく消費者の手元に滞留してしまい、市場での硬貨流通量が少ない国や地域がある。このような国や地域では、消費者から硬貨を回収し市場での流通を促進したいという課題がある。
【０００６】
また、硬貨も存在している金種からなる低額紙幣が流通している国や地域では、上記硬貨と同様の状況に加え、流通している低額紙幣の汚損度が著しいことが多く、消費者から低額紙幣を回収し、硬貨や高額紙幣に置き換えたいという課題がある。
【０００７】
このように、市場における所定の貨幣の流通を促進させたり、所定の貨幣を回収して別の貨幣に置き換えたりするための手段として、特許文献１で開示されているような貨幣両替機を利用することが考えられるが、特許文献１で開示されている貨幣両替機は、放出される貨幣の種類に着目することで両替コストを回収することを目的としたもので、上記課題を解決するには不十分であった。
【０００８】
以上のような点に鑑み、本発明は、市場における所定の貨幣の流通を促進させたり、所定の貨幣を回収して別の貨幣に置き換えたりすることを促進させたりすることができる貨幣処理装置及び貨幣処理システムを提供する。
【課題を解決するための手段】
【０００９】
本発明の貨幣処理装置は、
貨幣を処理する貨幣処理装置であって、
貨幣が受け入れられる受入口と、
前記受入口で受け入れられた前記貨幣の種類を識別する識別部と、
前記識別部で識別された貨幣の種類に基づいて、貨幣の処理に関する手数料を決定する手数料決定部と、
を備える。
【００１０】
本発明の貨幣処理装置において、
前記受入口で受け入れられた貨幣が硬貨又は所定額面以下の紙幣の場合に、前記受入口で受け入れられた貨幣が前記所定額面を超える紙幣の場合と比較して、前記手数料が低額になってもよい。
【００１１】
本発明の貨幣処理装置において、
前記貨幣処理装置は前記受入口で受け入れられた貨幣を両替する貨幣両替機であり、
前記貨幣処理装置は、前記受入口で受け入れられた貨幣を両替した貨幣を放出するための放出口をさらに有し、
前記手数料決定部は、前記受入口で受け入れられた貨幣の種類及び前記放出口に放出される貨幣の種類に基づいて、両替手数料を決定してもよい。
【００１２】
本発明の貨幣処理装置において、
前記放出口に放出される貨幣が硬貨である場合に、前記放出口に放出される貨幣が紙幣である場合と比較して、前記両替手数料が低額になっていてもよい。
【００１３】
本発明の貨幣処理装置において、
前記放出口に放出される貨幣が所定額面を超える紙幣である場合に、前記放出口に放出される貨幣が前記所定額面以下の紙幣である場合と比較して、前記両替手数料が低額になっていてもよい。
【００１４】
本発明の貨幣処理装置において、
前記受入口で受け入れられた貨幣が硬貨又は所定額面以下の紙幣であり前記放出口に放出される貨幣がバラ硬貨である場合に、前記受入口で受け入れられた貨幣が所定額面を超える紙幣である場合及び前記放出口に放出される貨幣が紙幣である場合と比較して、前記両替手数料が低額になっていてもよい。
【００１５】
本発明の貨幣処理装置において、
前記受入口で受け入れられた貨幣が硬貨又は所定額面以下の紙幣であり前記放出口に放出される貨幣が所定額面を超える紙幣である場合に、前記放出口に放出される貨幣が所定額面以下の紙幣である場合又は前記受入口で受け入れられた貨幣が前記所定額面を超える紙幣であり前記放出口に放出される貨幣も前記所定額面を超える紙幣である場合と比較して、前記両替手数料が低額になっていてもよい。
【００１６】
本発明の貨幣処理装置において、
前記受入口で受け入れられた貨幣が所定額面を超える紙幣であり前記放出口に放出される貨幣がバラ硬貨である場合に、前記放出口に放出される貨幣が所定額面以下の紙幣である場合又は前記受入口で受け入れられた貨幣が前記所定額面を超える紙幣であり前記放出口に放出される貨幣も前記所定額面を超える紙幣である場合と比較して、前記両替手数料が低額になっていてもよい。
【００１７】
本発明の貨幣処理装置において、
前記受入口で受け入れられた貨幣が所定額面を超える紙幣であり前記放出口に放出される貨幣が前記所定額面以下の紙幣である場合に、前記放出口に放出される貨幣が所定額面を超える紙幣である場合、前記放出口に放出される貨幣がバラ硬貨である場合、前記受入口で受け入れられた貨幣が前記所定額面以下の紙幣又はバラ硬貨であり前記放出口に放出される貨幣が前記所定額面以下の紙幣である場合と比較して、前記両替手数料が高額になっていてもよい。
【００１８】
本発明の貨幣処理装置において、
前記放出口に放出される貨幣が包装硬貨である場合に、前記放出口に放出される貨幣がバラ硬貨である場合と比較して、前記両替手数料が高額になっていてもよい。
【００１９】
本発明の貨幣処理装置において、
前記手数料決定部は、前記放出口に放出される貨幣が前記包装硬貨である場合に、前記包装硬貨の本数に基づいて、前記両替手数料を決定してもよい。
【００２０】
本発明の貨幣処理装置において、
前記貨幣処理装置は前記受入口で受け入れられた貨幣を所定の口座に入金して入金手数料を徴収する入金機であってもよい。
【００２１】
本発明の貨幣処理装置において、
前記貨幣処理装置は前記受入口で受け入れられた貨幣を所定の価値に換算して価値媒体を発行し、発行手数料を徴収する価値媒体発行装置であってもよい。
【００２２】
本発明の貨幣処理システムは、
貨幣を処理する貨幣処理システムであって、
貨幣が受け入れられる受入口と、前記受入口で受け入れられた前記貨幣の種類を識別する識別部と、を有する貨幣処理装置と、
前記識別部で識別された貨幣の種類に基づいて、貨幣の処理に関する手数料を決定する手数料決定部と、
を備える。
【００２３】
本発明の貨幣処理システムにおいて、
前記受入口で受け入れられた貨幣が硬貨又は所定額面以下の紙幣の場合に、前記受入口で受け入れられた貨幣が前記所定額面を超える紙幣の場合と比較して、前記手数料が低額になっていてもよい。
【００２４】
本発明の貨幣処理システムにおいて、
前記貨幣処理装置は前記受入口で受け入れられた貨幣を両替する貨幣両替機であり、
前記貨幣処理装置は、前記受入口で受け入れられた貨幣を両替した貨幣を放出するための放出口をさらに有し、
前記手数料決定部は、前記受入口で受け入れられた貨幣の種類及び前記放出口に放出される貨幣の種類に基づいて、両替手数料を決定してもよい。
【００２５】
本発明の貨幣処理システムにおいて、
前記放出口に放出される貨幣が包装硬貨である場合に、前記放出口に放出される貨幣がバラ硬貨である場合と比較して、前記両替手数料が高額になっていてもよい。
【００２６】
本発明の貨幣処理システムにおいて、
前記貨幣処理装置は前記受入口で受け入れられた貨幣を所定の口座に入金して入金手数料を徴収する入金機であってもよい。
【００２７】
本発明の貨幣処理システムにおいて、
前記貨幣処理装置は前記受入口で受け入れられた貨幣を所定の価値に換算して価値媒体を発行し、発行手数料を徴収する価値媒体発行装置であってもよい。
【発明の効果】
【００２８】
本発明によれば、受入口で受け入れられた貨幣の種類に基づいて、貨幣の処理に関する手数料を自由に決定することができる。このため、市場における所定の貨幣の流通を促進させるように手数料を決定して市場における所定の貨幣の流通を促進させたり、所定の貨幣を回収して別の貨幣に置き換えたりするよう手数料を決定して所定の貨幣を回収して別の貨幣に置き換えたりすることを促進させたりすることができる。
【図面の簡単な説明】
【００２９】
【図１】図１は、本発明の第１の実施の形態及び第３の実施の形態において貨幣処理装置を採用した場合の構成の概略を示した機能ブロック図である。
【図２】図２は、本発明の第１の実施の形態において貨幣処理システムを採用した場合の構成の概略を示した機能ブロック図である。
【図３】図３は、本発明の第１の実施の形態による貨幣処理システムにおける両替手数料を示した表である。
【図４】図４は、本発明の第２の実施の形態において貨幣処理装置を採用した場合の構成の概略を示した機能ブロック図である。
【図５】図５は、本発明の第２の実施の形態において貨幣処理システムを採用した場合の構成の概略を示した機能ブロック図である。
【図６】図６は、本発明の第２の実施の形態における両替手数料の一覧を示した表である。
【図７】図７は、本発明の第３の実施の形態において貨幣処理システムを採用した場合の構成の概略を示した機能ブロック図である。
【図８】図８は、本発明の第４の実施の形態において貨幣処理装置を採用した場合の構成の概略を示した機能ブロック図である。
【図９】図９は、本発明の第４の実施の形態において貨幣処理システムを採用した場合の構成の概略を示した機能ブロック図である。
【発明を実施するための形態】
【００３０】
第１の実施の形態
《構成》
以下、本発明に係る貨幣処理システムの第１の実施の形態について、図面を参照して説明する。ここで、図１、図２及び図３は本発明の第１の実施の形態を説明するための図である。なお、本願において、「貨幣」とは、硬貨、紙幣又は硬貨及び紙幣のことを意味している。
【００３１】
図１に示すように、本実施の形態の貨幣処理装置４００は、貨幣が受け入れられる受入口４２０と、受入口４２０で受け入れられた貨幣の種類を識別する識別部４３０と、を有している。なお、図１に示した態様では、受け入れた貨幣を処理する過程で貨幣の放出が必要な場合には、受入口４２０から貨幣が放出されることとなる。このため、図１に示した態様では、受入口４２０が放出口としての役割を果たすこととなるが、これに限られることはなく、受入口４２０とは別に放出口が設けられてもよい。
【００３２】
本実施の形態の貨幣処理装置４００は、操作者からの操作を受け付ける操作部６０と、受入口４２０で受け入れられた貨幣の種類に基づいて、貨幣の処理に関する手数料を決定する手数料決定部１０と、受入口４２０で受け入れられた貨幣の種類に基づいた手数料を記憶した記憶部２０も備えている。
【００３３】
また、本実施の形態では、図２に示すように、貨幣を処理する硬貨処理装置４００と外部装置１とがインターフェース９０，１９０を介して通信接続される貨幣処理システムとしてもよい。この場合、手数料決定部１０、記億部２０、操作部６０の少なくとも一つを外部装置１に設けることができる。なお、図２に示した態様では、外部装置１が手数料決定部１０、記億部２０及び操作部６０を有した態様となっている。
【００３４】
本実施の形態では、手数料決定部１０は、受入口４２０で受け入れられた貨幣の種類に基づいて、手数料を決定するようになっている。より具体的には、手数料決定部１０は、識別部４３０による識別によって受入口４２０で受け入れられた貨幣の種類を判断し、記憶部２０に記憶された手数料を読み出し、手数料を決定する。
【００３５】
本実施の形態の貨幣処理装置における手数料を図３に示す。図２において、「○」は両替手数料が低額であることを示し、「×」は両替手数料が高額であることを示す。すなわち、本実施の形態において、両替手数料の額は、「○」＜「×」となっている。
【００３６】
以下、この図３を用いて、本実施の形態の手数料決定部１０が決定する手数料について説明する。なお、本実施の形態では中国で流通している「元」及び「角」を用いて説明する。そして、「高額紙幣」と「低額紙幣」の定義は、運用時の様々な条件に合わせて適宜決定することができるが、一つの例として、５元以上の紙幣を「高額紙幣」、１元以下の紙幣を「低額紙幣」とすることができる。
【００３７】
また、別の定義として、「高額紙幣」は同額の「硬貨」の存在していない金種からなる紙幣とし、「低額紙幣」とは同額の「硬貨」の存在している金種からなる紙幣としてもよい。
【００３８】
本実施の形態では、受入口４２０で受け入れられた貨幣がバラ硬貨又は所定額面以下の紙幣（低額紙幣）の場合に、受入口４２０で受け入れられた貨幣が所定額面を超える紙幣（高額紙幣）の場合と比較して、手数料が低額になっている。
【００３９】
《作用・効果》
次に、上述した構成からなる本実施の形態による作用・効果について説明する。
【００４０】
本実施の形態によれば、受入口４２０で受け入れられた貨幣の種類に基づいて、貨幣の処理に関する手数料を自由に決定することができる。このため、市場における所定の貨幣の流通を促進させるように手数料を決定して市場における所定の貨幣の流通を促進させたり、所定の貨幣を回収して別の貨幣に置き換えたりするよう手数料を決定して所定の貨幣を回収して別の貨幣に置き換えたりすることを効率よく行うことができる。
【００４１】
より具体的には、本実施の形態では、受入口４２０で受け入れられた貨幣がバラ硬貨又は低額紙幣の場合に、受入口４２０で受け入れられた貨幣が高額紙幣の場合と比較して、手数料が低額になっている。このため、硬貨及び低額紙幣が貨幣処理装置４００に入金されることを促進することができ、消費者から硬貨を回収し市場での流通を促進したり、消費者から低額紙幣を回収して硬貨や高額紙幣に置き換えることを促進したりすることができる。
【００４２】
第２の実施の形態
次に、本発明の第２の実施の形態について説明する。
【００４３】
受け入れられた貨幣の具体的な処理内容としては、貨幣の両替、入金又は価値媒体への交換等の様々な処理がある。また、単体の装置構成としてもよいし、複数の装置を組み合わせたシステム構成としてもよい。貨幣処理として両替処理を行う第２の実施の形態について、主に図４、図５及び図６を用いて説明する。
【００４４】
図４に示すように、本実施の形態の貨幣処理装置は貨幣両替機５００である。貨幣両替機５００は、硬貨及び紙幣が受け入れられる受入口５２０と、受入口５２０で受け入れられた硬貨又は紙幣の種類を識別する識別部５３０と、両替硬貨又は両替紙幣を放出する放出口５２５と、を有している。なお、本実施の形態では、受入口５２０とは別に放出口５２５を設けているが、放出口５２５を省略し、受入口５２０から両替硬貨又は両替紙幣を放出するようにしてもよい。
【００４５】
本実施の形態の貨幣両替機は、操作者からの操作を受け付ける操作部６０と、受入口５２０で受け入れられた硬貨又は紙幣の種類と、放出口５２５に放出された硬貨又は紙幣の種類に基づいて、両替に関する両替手数料を決定する手数料決定部１０と、受入口５２０で受け入れられた硬貨又は紙幣の種類と、放出口５２５に放出された硬貨又は紙幣の種類に基づいた両替手数料を記憶した記憶部２０も備えている。
【００４６】
また、本実施の形態では、図５に示すように、硬貨を処理する硬貨処理装置１００と、紙幣を処理する紙幣処理装置２００と、を備えた貨幣処理システムとしてもよい。そして、硬貨処理装置１００は、バラ硬貨を処理するバラ硬貨処理部１１０と、包装硬貨を処理する包装硬貨処理部１６０と、を有している。なお、本実施の形態の貨幣処理装置１００，２００は、後述する硬貨受入口１２０で受け入れられた硬貨又は後述する紙幣受入口２２０で受け入れられた紙幣を両替する貨幣両替機１００，２００となっている。つまり、本実施の形態の硬貨処理装置１００は硬貨両替機１００であり、紙幣処理装置２００は紙幣両替機２００となっている。
【００４７】
硬貨両替機１００は、硬貨が受け入れられる硬貨受入口１２０と、硬貨受入口１２０で受け入れられた硬貨の種類を識別する硬貨識別部１３０と、を有している。なお、本実施の形態では、硬貨受入口１２０から硬貨が放出されるようになっており、硬貨受入口１２０が硬貨放出口としての役割を果たしている。ちなみに、本実施の形態に示した態様と異なり、硬貨受入口１２０とは別に硬貨放出口が設けられてもよい。ところで、本実施の形態では、硬貨両替機１００のバラ硬貨処理部１１０が、硬貨受入口１２０及び硬貨識別部１３０を有しているが、この態様に限られることはない。
【００４８】
また、紙幣両替機２００は、紙幣が受け入れられる紙幣受入口２２０と、紙幣受入口２２０で受け入れられた紙幣の種類を識別する紙幣識別部２３０と、を有している。なお、本実施の形態では、紙幣受入口２２０から紙幣が放出されるようになっており、紙幣受入口２２０が紙幣放出口としての役割を果たしている。ちなみに、本実施の形態に示した態様と異なり、紙幣受入口２２０とは別に紙幣放出口が設けられてもよい。
【００４９】
本実施の形態の貨幣処理システムは、操作者からの操作を受け付ける操作部６０と、硬貨受入口１２０で受け入れられた硬貨の種類又は紙幣受入口２２０で受け入れられた紙幣の種類と、硬貨受入口１２０に放出された硬貨の種類又は紙幣受入口２２０に放出された紙幣の種類に基づいて、両替に関する両替手数料を決定する手数料決定部１０と、硬貨受入口１２０で受け入れられた硬貨の種類又は紙幣受入口２２０で受け入れられた紙幣の種類と、硬貨受入口１２０に放出された硬貨の種類又は紙幣受入口２２０に放出された紙幣の種類に基づいた両替手数料を記憶した記憶部２０と、を有する外部装置１も備えている。これら操作部６０、手数料決定部１０及び記憶部２０はそれぞれ、硬貨両替機１００又は紙幣両替機２００に設けるようにしてもよい。
【００５０】
図４の貨幣両替機５００と図５の貨幣処理システムは、ほぼ同様の動作となるため、主に図５の貨幣処理システムについて説明する。なお、以下では、硬貨受入口１２０、紙幣受入口２２０又は硬貨受入口１２０及び紙幣受入口２２０のことを「受入口」とも言う。また、受入口１２０，２２０が両替した貨幣を放出するための放出口としての役割を果たす場合であっても「受入口」と言う。
【００５１】
本実施の形態では、貨幣処理システムが貨幣両替機１００，２００となっていることから、手数料決定部１０は、受入口１２０，２２０で受け入れられた貨幣の種類と、受入口１２０，２２０に放出される貨幣の種類に基づいて、両替手数料を決定するようになっている。より具体的には、手数料決定部１０は、硬貨識別部１３０による識別によって硬貨受入口１２０で受け入れられた硬貨の種類を判断し、紙幣識別部２３０による識別によって紙幣受入口２２０で受け入れられた紙幣の種類を判断し、操作部６０からの入力によって硬貨受入口１２０に放出される硬貨の種類を判断し、操作部６０からの入力によって紙幣受入口２２０に放出される紙幣の種類を判断することで、記憶部２０に記憶された両替手数料を読み出し、両替手数料を決定する。
【００５２】
ところで、上述した操作部６０、手数料決定部１０及び記憶部２０の各々は、紙幣両替機２００に設けられてもよいし、硬貨両替機１００に設けられてもよいし、これら紙幣両替機２００及び硬貨両替機１００と異なる上位機、サーバー等の外部装置１に設けられてもよい。また、操作部６０、手数料決定部１０及び記憶部２０の各々は、同じ装置に設けられてもよいし、それぞれ別の装置に設けられてもよい。本実施の形態では、一例として、外部装置１がこれら操作部６０、手数料決定部１０及び記憶部２０の各々を備えた態様を用いて説明するが、これに限られることはない。
【００５３】
本実施の形態の貨幣処理システムにおける両替手数料を図６に示す。図６において、「◎」は両替手数料が最も低額であることを示し、「○」は両替手数料が二番目に低額であることを示し、「△」は両替手数料が三番目に低額であることを示し、「×」は両替手数料が四番目に低額（最も高額）であることを示す。すなわち、本実施の形態において、両替手数料の額は、「◎」＜「○」＜「△」＜「×」となっている。
【００５４】
以下、この図６を用いて、本実施の形態の手数料決定部１０が決定する手数料について説明する。なお、本実施の形態では中国で流通している「元」及び「角」を用いて説明する。そして、本実施の形態において、５元以上の紙幣を「高額紙幣」と言い、１元以下の紙幣を「低額紙幣」と言う。また、以下において「所定額面」とは「１元」のことを意味している。
【００５５】
「高額紙幣」及び「低額紙幣」を一般概念化すると、「高額紙幣」とは「硬貨」の存在していない金種からなる紙幣のことを意味し、「低額紙幣」とは「硬貨」の存在している金種からなる紙幣のことを意味する。また、「所定額面」を一般概念化するならば、「所定額面」とは流通している硬貨のうち最も高い金種の硬貨の「額面」のことを意味する。
【００５６】
本実施の形態では、受入口１２０，２２０で受け入れられた貨幣がバラ硬貨又は所定額面以下の紙幣（低額紙幣）の場合に、受入口１２０，２２０で受け入れられた貨幣が所定額面を超える紙幣（高額紙幣）の場合と比較して、両替手数料が低額になっている。
【００５７】
また、本実施の形態では、受入口１２０，２２０に放出される貨幣がバラ硬貨である場合に、受入口１２０，２２０に放出される貨幣が紙幣である場合と比較して、両替手数料を低額になっている。
【００５８】
また、本実施の形態では、受入口１２０，２２０に放出される貨幣が所定額面を超える紙幣（高額紙幣）である場合に、受入口１２０，２２０に放出される貨幣が所定額面以下の紙幣（低額紙幣）である場合と比較して、両替手数料が低額になっている。
【００５９】
また、本実施の形態では、受入口１２０，２２０で受け入れられた貨幣がバラ硬貨又は所定額面以下の紙幣（低額紙幣）であり受入口１２０，２２０に放出される貨幣がバラ硬貨である場合に（図６において「◎」となっている。）、受入口１２０，２２０で受け入れられた貨幣が所定額面を超える紙幣（高額紙幣）である場合及び受入口１２０，２２０に放出される貨幣が紙幣である場合と比較して、両替手数料が低額になるようになっている。
【００６０】
また、本実施の形態では、受入口１２０，２２０で受け入れられた貨幣がバラ硬貨又は所定額面以下の紙幣（低額紙幣）であり受入口１２０，２２０に放出される貨幣が所定額面を超える紙幣（高額紙幣）である場合に（図６において「○」となっている。）、受入口１２０，２２０に放出される貨幣が所定額面以下の紙幣（低額紙幣）である場合又は受入口１２０，２２０で受け入れられた貨幣が所定額面を超える紙幣（高額紙幣）であり受入口１２０，２２０に放出される貨幣も所定額面を超える紙幣（高額紙幣）である場合と比較して、両替手数料が低額になるようになっている。
【００６１】
また、本実施の形態では、受入口１２０，２２０で受け入れられた貨幣が所定額面を超える紙幣（高額紙幣）であり受入口１２０，２２０に放出される貨幣がバラ硬貨である場合に（図６において「○」となっている。）、受入口１２０，２２０に放出される貨幣が所定額面以下の紙幣（低額紙幣）である場合又は受入口１２０，２２０で受け入れられた貨幣が所定額面を超える紙幣（高額紙幣）であり受入口１２０，２２０に放出される貨幣も所定額面を超える紙幣（高額紙幣）である場合と比較して、両替手数料が低額になっている。
【００６２】
また、本実施の形態では、受入口１２０，２２０で受け入れられた貨幣が所定額面を超える紙幣（高額紙幣）であり受入口１２０，２２０に放出される貨幣が所定額面以下の紙幣（低額紙幣）である場合に（図６において「×」となっている。）、受入口１２０，２２０に放出される貨幣が所定額面を超える紙幣（高額紙幣）である場合、受入口１２０，２２０に放出される貨幣がバラ硬貨である場合、受入口１２０，２２０で受け入れられた貨幣が所定額面以下の紙幣（低額紙幣）又はバラ硬貨であり受入口１２０，２２０に放出される貨幣が所定額面以下の紙幣（低額紙幣）である場合と比較して、両替手数料が高額になるようになっている。
【００６３】
また、本実施の形態では、受入口１２０，２２０に放出される貨幣が包装硬貨である場合に、受入口１２０，２２０に放出される貨幣がバラ硬貨である場合と比較して、両替手数料が高額になっている。なお、本実施の形態では、包装硬貨の両替手数料は従量制になっており、手数料決定部１０は、受入口１２０，２２０に放出される貨幣が包装硬貨である場合に、包装硬貨の本数に基づいて、両替手数料を決定する。より具体的には、包装硬貨の本数が多いほど両替手数料が高額になっており、例えば、放出される包装硬貨の本数が「ｎ＋１」本（「ｎ」は整数である。）の場合の方が、放出される包装硬貨の本数が「ｎ」本の場合と比較して、両替手数料が高くなっている。この態様の一例としては、放出される包装硬貨の本数が「ｎ＋１」本の場合の方が、放出される包装硬貨の本数が「ｎ」本の場合と比較して「α」だけ高くなっており、「ｎ＋ｍ」本（「ｍ」は整数である。）だけ両替した際の両替手数料が「ｎ＋α×ｍ」となっている。ちなみに、両替手数料は、包装硬貨の数が１本増える毎に高くならなくてもよく、一定の範囲にある包装硬貨の本数毎に両替手数料が決定されてもよく、例えば、包装硬貨の本数が１本〜５本の場合の両替手数料が「Ｘ」元となり、包装硬貨の本数が６本〜１０本の場合の両替手数料が「Ｙ」元となってもよい（但し、Ｘ＜Ｙとなっている。）。
【００６４】
なお、外部装置１と硬貨両替機１００とは、図５に示すように、インターフェース９０，１９０を介して通信接続されている。また、外部装置１と紙幣両替機２００とは、インターフェース９０，２９０を介して通信接続されている。また、硬貨両替機１００と紙幣両替機２００とは、インターフェース１９０，２９０を介して通信接続されている。
【００６５】
《作用・効果》
次に、上述した構成からなる本実施の形態による作用・効果について説明する。
【００６６】
本実施の形態によれば、受入口１２０，２２０で受け入れられた貨幣の種類に基づいて、貨幣の処理に関する手数料を自由に決定することができる。このため、市場における所定の貨幣の流通を促進させるように手数料を決定して市場における所定の貨幣の流通を促進させたり、所定の貨幣を回収して別の貨幣に置き換えたりするよう手数料を決定して所定の貨幣を回収して別の貨幣に置き換えたりすることを効率よく行うことができる。
【００６７】
より具体的には、本実施の形態では、受入口１２０，２２０で受け入れられた貨幣がバラ硬貨又は低額紙幣の場合に、受入口１２０，２２０で受け入れられた貨幣が高額紙幣の場合と比較して、両替手数料を低額になっている。このため、硬貨及び低額紙幣が貨幣両替機１００，２００に入金されることを促進することができ、消費者から硬貨を回収し市場での流通を促進したり、消費者から低額紙幣を回収して硬貨や高額紙幣に置き換えることを促進したりすることができる。
【００６８】
また、本実施の形態では、受入口１２０，２２０に放出される貨幣がバラ硬貨である場合に、受入口１２０，２２０に放出される貨幣が紙幣である場合と比較して、両替手数料を低額にするようになっている。このため、紙幣と比較して硬貨の放出を促進することができ、硬貨の市場への流通を促進することができる。
【００６９】
また、本実施の形態では、受入口１２０，２２０に放出される貨幣が高額紙幣である場合に、受入口１２０，２２０に放出される貨幣が低額紙幣である場合と比較して、両替手数料が低額になるようになっている。このため、低額紙幣と比較して高額紙幣の放出を促進することができ、高額紙幣の市場への流通を促進し、低額紙幣の市場への流通を抑制することができる。
【００７０】
さらに具体的な態様について説明する。
【００７１】
本実施の形態では、受入口１２０，２２０で受け入れられた貨幣がバラ硬貨又は低額紙幣であり受入口１２０，２２０に放出される貨幣がバラ硬貨である場合に（図６において「◎」となっている。）、受入口１２０，２２０で受け入れられた貨幣が高額紙幣である場合及び受入口１２０，２２０に放出される貨幣が紙幣である場合と比較して、両替手数料が低額になるようになっている。このため、硬貨及び低額紙幣の消費者からの回収を促進するとともに硬貨の放出を促進することができ、消費者からの硬貨を回収し市場での流通を促進したり、消費者から低額紙幣を回収して硬貨に置き換えることを促進したりすることができる。
【００７２】
また、本実施の形態では、受入口１２０，２２０で受け入れられた貨幣がバラ硬貨又は低額紙幣であり受入口１２０，２２０に放出される貨幣が高額紙幣である場合に（図６において「○」となっている。）、受入口１２０，２２０に放出される貨幣が低額紙幣である場合又は受入口１２０，２２０で受け入れられた貨幣が高額紙幣であり受入口１２０，２２０に放出される貨幣も高額紙幣である場合と比較して、両替手数料が低額になるようになっている。このため、硬貨及び低額紙幣の消費者からの回収を促進するとともに高額紙幣の放出を促進することができ、消費者からの硬貨を回収し市場での流通を促進したり、消費者から低額紙幣を回収して高額紙幣に置き換えることを促進したりすることができる。
【００７３】
また、本実施の形態では、受入口１２０，２２０で受け入れられた貨幣が高額紙幣であり受入口１２０，２２０に放出される貨幣がバラ硬貨である場合に（図６において「○」となっている。）、受入口１２０，２２０に放出される貨幣が低額紙幣である場合又は受入口１２０，２２０で受け入れられた貨幣が高額紙幣であり受入口１２０，２２０に放出される貨幣も高額紙幣である場合と比較して、両替手数料が低額になるようになっている。このため、高額紙幣の消費者からの回収を促進するとともに硬貨の放出を促進することができ、硬貨の市場への流通を促進することができる。
【００７４】
また、本実施の形態では、受入口１２０，２２０で受け入れられた貨幣が高額紙幣であり受入口１２０，２２０に放出される貨幣が低額紙幣である場合に（図６において「×」となっている。）、受入口１２０，２２０に放出される貨幣が高額紙幣である場合、受入口１２０，２２０に放出される貨幣がバラ硬貨である場合、受入口１２０，２２０で受け入れられた貨幣が低額紙幣又はバラ硬貨であり受入口１２０，２２０に放出される貨幣が低額紙幣である場合と比較して、両替手数料が高額になるようになっている。このため、高額紙幣が入金されて低額紙幣が放出されることを抑制することができ、ひいては、低額紙幣が市場に流通することを抑制することができる。したがって、消費者から回収した低額紙幣が再び市場に出回ることを抑制することができる。
【００７５】
また、本実施の形態では、受入口１２０，２２０に放出される貨幣が包装硬貨である場合に、受入口１２０，２２０に放出される貨幣がバラ硬貨である場合と比較して、両替手数料が高額になるようになっている。このため、手間がかかる包装硬貨の放出に対して、正当な両替手数料を徴収することができる。
【００７６】
また、本実施の形態では包装硬貨の両替手数料が従量制になっており、手数料決定部１０は、受入口１２０，２２０に放出される貨幣が包装硬貨である場合に、包装硬貨の本数に基づいて、両替手数料を決定する。このため、本実施の形態によれば、手間に比例した正当な両替手数料を徴収することができる。
【００７７】
第３の実施の形態
次に、貨幣処理として入金処理をおこなう本発明の第３の実施の形態について、主に図１及び図７を用いて説明する。
【００７８】
第３の実施の形態では、図１の貨幣処理装置４００が、受入口４２０で受け入れた貨幣を、所定の口座に入金して入金手数料を徴収する入金機となっている。
【００７９】
また、図７に示すように、図５で示した第２の実施の形態と同様に、複数の装置を組み合わせた貨幣入金システムとすることもできる。図５で示した第２の実施の形態では、貨幣処理装置１００，２００が受入口１２０，２２０で受け入れられた貨幣を両替する貨幣両替機１００，２００である態様であったが、図７で示す第３の実施の形態では、貨幣処理装置１００’，２００’が受入口１２０’，２２０’で受け入れられた貨幣を所定の口座に入金して入金手数料を徴収する入金機１００’，２００’となっている。そして、この入金機１００’，２００’は、硬貨を入金するための硬貨入金機１００’と、紙幣を入金するための紙幣入金機２００’と、を備えている。
【００８０】
以下、主に図７の貨幣入金システムについて説明する。図７で示した第３の実施の形態において、その他の構成は、図５で示した第２の実施の形態と略同一の態様となっている。第３の実施の形態において、第２の実施の形態と同一部分には同一符号を付し、対応する部分には対応する符号（「’」を付けた符号）を付して詳細な説明は省略する。
【００８１】
本実施の形態では貨幣処理装置１００’，２００’が入金機１００’，２００’となっているので、放出する貨幣の種類に基づいて手数料を決定することは行われない。本実施の形態の手数料決定部１０は、受入口１２０’，２２０’で受け入れられた貨幣の種類に基づいて、貨幣を入金する際の入金手数料を決定する。なお、本実施の形態の記憶部２０は、硬貨受入口１２０’で受け入れられた硬貨の種類又は紙幣受入口２２０’で受け入れられた紙幣の種類に基づいた入金手数料を記憶している。そして、硬貨識別部１３０’による識別によって硬貨受入口１２０’で受け入れられた硬貨の種類が判断され、紙幣識別部２３０’による識別によって紙幣受入口２２０’で受け入れられた紙幣の種類が判断されて、記憶部２０に記憶された入金手数料が読み出されることで、入金手数料が決定される。
【００８２】
本実施の形態では、受入口１２０’，２２０’で受け入れられて硬貨識別部１３０’又は紙幣識別部２３０’によって識別された貨幣が硬貨又は低額紙幣の場合に、受入口１２０’，２２０’で受け入れられた貨幣が高額紙幣の場合と比較して、入金手数料が低額になっている。このため、本実施の形態によっても、硬貨及び低額紙幣が入金機１００’，２００’に入金されることを促進することができ、消費者から硬貨を回収し市場での流通を促進したり、消費者から低額紙幣を回収して硬貨や高額紙幣に置き換えることを促進したりすることができる。
【００８３】
第４の実施の形態
次に、本発明の第４の実施の形態について、主に図８及び図９を用いて説明する。
【００８４】
第２の実施の形態のうち、図４で示した貨幣処理装置（貨幣両替機）は、受入口５２０で受け入れられた貨幣を両替する貨幣両替機５００である態様であったが、図８で示す第４の実施の形態では、貨幣処理装置３００が貨幣受入口３２０で受け入れられた貨幣を所定の価値に換算して価値媒体を発行し、発行手数料を徴収する価値媒体発行装置３００となっている。本実施の形態の価値媒体発行装置３００は、価値媒体を発行するための価値媒体発行部３５０を備えている。
【００８５】
また、図９に示すように、図５で示した第２の実施の形態及び図７で示した第３の実施の形態と同様に、複数の装置を組み合わせた価値媒体発行システムとすることもできる。図９に示す第４の実施の形態では、手数料決定部１０と記億部２０を外部装置１に設けている。
【００８６】
以下、主に図９の価値媒体発行システムについて説明する。図９で示した第４の実施の形態において、その他の構成は、図５で示した第２の実施の形態と略同一の態様となっている。図９で示した第４の実施の形態において、図５で示した第２の実施の形態と同一部分には同一符号を付して詳細な説明は省略する。ちなみに、図８において図９と同一部分には同一符号が付されている。
【００８７】
本実施の形態では貨幣処理装置３００が価値媒体発行装置３００となっているので、放出する貨幣の種類に基づいて手数料を決定することは行われない。本実施の形態の手数料決定部１０は、受入口３２０で受け入れられた貨幣の種類に基づいて、価値媒体を発行する際の発行手数料を決定する。なお、本実施の形態の記憶部２０は、貨幣受入口３２０で受け入れられた硬貨の種類又は紙幣の種類に基づいた発行手数料を記憶している。そして、貨幣識別部３３０による識別によって貨幣受入口３２０で受け入れられた貨幣の種類が判断されて、記憶部２０に記憶された発行手数料が読み出されることで、発行手数料が決定される。
【００８８】
また、図９に示した本実施の形態では、価値媒体発行装置３００と外部装置１とがインターフェース９０，３９０を介して通信接続されている。
【００８９】
本実施の形態では、貨幣受入口３２０で受け入れられて貨幣識別部３３０で識別された貨幣が硬貨又は低額紙幣の場合に、貨幣受入口３２０で受け入れられた貨幣が高額紙幣の場合と比較して、発行手数料が低額になっている。このため、本実施の形態によっても、硬貨及び低額紙幣が価値媒体発行装置３００に入金されることを促進することができ、消費者から硬貨を回収し市場での流通を促進したり、消費者から低額紙幣を回収して硬貨や高額紙幣に置き換えを促進したりすることができる。
【００９０】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００９１】
１０        手数料決定部
２０        記憶部
６０        操作部
１００      硬貨両替機（硬貨処理装置）
１００’    硬貨入金機（硬貨処理装置）
１１０      バラ硬貨処理部
１２０      硬貨受入口
１３０      硬貨識別部
１６０      包装硬貨処理部
２００      紙幣両替機（紙幣処理装置）
２００’    紙幣入金機（紙幣処理装置）
２２０      紙幣受入口
２３０      紙幣識別部
３００      価値媒体発行装置（貨幣処理装置）
３２０      貨幣受入口
３３０      貨幣識別部
３５０      価値媒体発行部
【図１】
2014146106.tif 000003
【図２】
2014146106.tif 000004
【図３】
2014146106.tif 000005
【図４】
2014146106.tif 000006
【図５】
2014146106.tif 000007
【図６】
2014146106.tif 000008
【図７】
2014146106.tif 000009
【図８】
2014146106.tif 000010
【図９】
2014146106.tif 000011